(57)【特許請求の範囲】
【請求項１】
ユーザ装置との間において主信号データを伝送する伝送手段を有するユーザ網インタフェースを１つ又は複数個含む第１のインタフェース部と、ユーザ網インタフェースとは反対側に設けられ、主信号データの伝送手段を有する１つ又は複数個のネットワークネットワークインタフェースを含む第２のインタフェース部と、これらインタフェース部間において主信号データの転送を行うデータ転送部とを具えるプロトコル変換装置において、
回線障害の発生を検出する回線障害検出部と、
検出した回線障害の発生を外部装置に伝送する障害情報通知部と、
外部装置から送信された回線障害情報を受信する障害情報受信部と、
前記回線障害検出部により検出された回線障害情報又は外部装置から送信されてきた回線障害情報に応じて予め指定された制御処理を実行する制御部と、
回線障害の種別と前記制御部により実行される制御内容との関係を記憶した記憶部とを具えることを特徴とするプロトコル変換装置。
【請求項２】
ユーザ装置との間においてパケットの形態の主信号データの送受信を行うユーザ網インタフェースを１つ又は複数個含む第１のインタフェース部と、前記第１のインタフェースで受信したパケットを、その宛先情報により規定された転送先ポートに転送するデータ転送部と、データ転送部から送られてくるパケットを外部装置に伝送するためのネットワークネットワークインタフェースを１つ又は複数個含む第２のインタフェース部とを具えるプロトコル変換装置において、
前記第１のインタフェース部で伝送される主信号の障害発生を検出する回線障害検出部と、
前記検出された回線障害情報を外部装置に通知する障害情報通知部と、
外部装置から送信された回線障害情報を受信する障害情報受信部と、
前記回線障害検出部により検出された回線障害又は外部装置から送信されてきた回線障害情報に応じて予め指定された制御処理を実行する制御部と、
回線障害の種別と前記制御により実行される制御内容との関係を記憶した記憶部とを具えることを特徴とするプロトコル変換装置。
【請求項３】
前記ユーザ網インタフェースとして、イーサネット（Ｒ）インタフェース又はファイバチャネルインタフェースを用いることを特徴とする請求項２に記載のプロトコル変換装置。
【請求項４】
請求項１、２又は３に記載のプロトコル変換装置において、前記制御部は、前記回線障害検出部が回線障害を検出した際又は外部装置から通知された回線障害情報を受信した際、前記記憶部に記憶されている回線障害の種別とこれに対応する制御内容との関係を参照し、検出された回線障害の内容又は外部装置から通知された障害情報に対応して規定される制御処理を実行することを特徴とするプロトコル変換装置。
【請求項５】
請求項２又は３に記載のプロトコル変換装置において、前記データ転送部から送られてくるパケットをSTM フレームにより外部装置に伝送するため、前記ネットワークネットワークインタフェースを、パス作成終端部、ＸＣ部、及び多重分離部を含むSTM インタフェースにより構成したことを特徴とするプロトコル変換装置。
【請求項６】
請求項１から５までに記載のいずれか１項に記載のプロトコル変換装置において、前記回線処理検出部により検出された障害情報をSTM インタフェースのパスオーバヘッドに挿入することにより外部装置との間において障害情報の連絡を行うため、前記障害情報通知部は、指定したパスオーバヘッドに障害情報メッセージを挿入する障害通知バイト部を含み、
前記障害情報受信部は、終端したパスオーバヘッドの障害通知バイトから障害メッセージを取り出して障害の内容を認識する障害通知バイト部を含むことを特徴とするプロトコル変換装置。
【請求項７】
回線障害検出部により検出された障害情報をパケットとして外部装置に伝送する請求項１から６までに記載のいずれか１項に記載のプロトコル変換装置において、
前記障害情報通知部は、前記回線障害検出部により検出された障害内容に基づいて作成した障害情報メッセージから、指定したアドレスを有する障害情報パケットを形成する障害通知ＰＫＴ作成部を含み、
前記障害情報受信部は、外部装置から送信されてきた障害情報パケットを受信するＰＫＴ受信部を含むことを特徴とするプロトコル変換装置。
【請求項８】
前記障害情報パケットのアドレスを、ＩＰアドレス、ＭＡＰＯＳアドレス、ＭＡＣアドレスを含むレイヤ２及びレイヤ３のアドレスとし、
前記障害情報パケットを、ＩＰデータグラム、ＭＡＰＯＳフレーム、ＭＡＣフレームを含むレイヤ２及びレイヤ３のデータとし、
前記障害通知ＰＫＴ作成部により形成された障害情報パケットをパケット転送部を経由して指定したネットワークネットワークインタフェースに送信することを特徴とする請求項７に記載のプロトコル変換装置。
【請求項９】
前記回線障害検出部により検出される回線障害として、単位時間でのＸ個のビットエラー検出、受信光主信号の断の検出、通信警報の検出、同期はずれの検出、リンク不確立の検出、keep aliveタイムアウトを含むことを特徴とする請求項１から８までのいずれか１項に記載のプロトコル変換装置。
【請求項１０】
請求項９に記載のプロトコル変換装置において、前記回線障害検出部により検出した回線障害に対する制御部による制御処理内容として、「単位時間でのＸ個のビットエラー検出」に対して「発光装置による点灯」、「受信光主信号の断の検出」に対して「発光装置による点灯」、「通信警報の検出」に対して「発光装置による点灯及び監視制御装置への通知」、「同期はずれの検出」に対して「発光装置による点灯及び監視制御装置への通知」、「リンク不確立の検出」に対して「監視制御装置への通知」、「keep aliveの停止」に対して「監視制御装置への通知」を含むことを特徴とするプロトコル変換装置。
【請求項１１】
前記記憶部に動作内容入力部を接続し、この動作内容通知部を介して、回線障害の種別と前記制御部により処理される制御動作との関係を記憶部に入力することを特徴とする請求項１から１０までのいずれか１項に記載のプロトコル変換装置。
【請求項１２】
第１のプロトコル変換装置と、第２のプロトコル変換装置と、これらプロトコル変換装置間に接続した通信事業者の中継装置とを具え、前記第１のプロトコル変換装置を第１のグループのユーザ装置に接続し、前記第２のプロトコル変換装置を第２のグループのユーザ装置に接続した通信システムにおいて、
前記第１及び第２のプロトコル変換装置を請求項１から１１までのいずれか１項に記載のプロトコル変換装置としたことを特徴とする通信システム。
【請求項１３】
第１のグループのユーザ装置が接続されている第１のプロトコル変換装置と、第１のプロトコル変換装置に接続され、第２のグループのユーザ装置が接続されている第２のプロトコル変換装置と、第２のプロトコル変換装置に接続され、第３のグループのユーザ装置が接続されている第３のプロトコル変換装置とを具える通信システムにおいて、
前記第１、第２及び第３のプロトコル変換装置を請求項１から１１までのいずれか１項に記載のプロトコル変換装置としたことを特徴とする通信システム。
【請求項１４】
第１のユーザ装置と第２のユーザ装置とを第１及び第２のリンクにより相互接続し、リングアグリケーションを利用して経路を２重化した通信システムであって、  前記第１のリンクが、第１のユーザ装置と第１のイーサネット（Ｒ）インタフェース（イーサネット（Ｒ）ＩＦ）介して接続した第１のプロトコル変換装置と、第２のユーザ装置に第２のイーサネット（Ｒ）インタフェースを介して接続した第２のプロトコル変換装置と、これらプロトコル変換装置間に接続され、ＳＴＭフレームでデータ伝送を行う伝送装置とを具え、
前記第２のリンクが、第１のユーザ装置に第３のイーサネット（Ｒ）インタフェースを介して接続した第３のプロトコル変換装置と、第２のユーザ装置に第４のイーサネット（Ｒ）インタフェースを介して接続した第４のプロトコル変換装置と、これらプロトコル変換装置間に接続され、ＳＴＭフレームでデータ伝送を行う伝送装置とを具え、
前記第１〜第４のプロトコル変換装置を請求項２から１１までのいずれか１項に記載のプロトコル変換装置としたことを特徴とする通信システム。
【請求項１５】
請求項１４に記載の通信システムにおいて、前記第１のリンクの、第１のユーザ装置と第１のプロトコル変換装置との間において回線障害が発生した際、前記第２のプロトコル変換装置により第１のリンクの第２のユーザ装置と第２のプロトコル変換装置との間に故意的な回線障害を意図的に発生させて第１のユーザ装置と第２のユーザ装置との間の経路を第１のリンクから第２のリンクへ切り換えることを特徴とする通信システム。
【請求項１６】
第１のユーザ装置と第２のユーザ装置とを第１及び第２のリンクにより相互接続し、リングアグリケーションを利用して経路を２重化した通信システムであって、  前記第１のリンクが、第１のユーザ装置に第１のイーサネット（Ｒ）（Ｒ）インタフェースを介して接続した第１のプロトコル変換装置と、第２のユーザ装置に第１のイーサネット（Ｒ）インタフェースを介して接続した第２のプロトコル変換装置と、これらプロトコル変換装置間に接続され、ＳＴＭフレームでデータ伝送を行う伝送装置とを具え、
前記第２のリンクを、波長多重装置を含む中継回線により構成し、
前記第１及び第２のプロトコル変換装置を請求項２から１１までのいずれか１項に記載のプロトコル変換装置とし、前記第１のリンクの、第１のユーザ装置と第１のプロトコル変換装置との間において回線障害が発生した際、前記第２のプロトコル変換装置により第１のリンクの第２のユーザ装置と第２のプロトコル変換装置との間に故意的な回線障害を意図的に発生させて第１のユーザ装置と第２のユーザ装置との間の経路を第１のリンクから第２のリンクへ切り換えることを特徴とする通信システム。
【発明の詳細な説明】
【０００１】
【発明の属する技術分野】
本発明は、ユーザ装置との間において主信号データを伝送する伝送手段を有するユーザ網インタフェースを１つ又は複数個含む第１のインタフェース部と、ユーザ網インタフェースとは反対側に設けられ、主信号データの伝送手段を有する１つ又は複数個のネットワークネットワークインタフェースを含む第２のインタフェース部と、これらインタフェース部間において主信号データの転送を行うデータ転送部とを具えるプロトコル変換装置に関するものである。
さらに、本発明は、このようなプロトコル変換装置を具える通信システムに関するものである。
【０００２】
【従来の技術】
通信事業者の中継ネットワークは、一般的に、国際的に勧告化されたSONET やSDH （以下、SONET ／SDH と称する）と称される同期伝送方式によって構築されており、通信事業者の伝送装置はSONET ／SDH インタフェースにより互いに接続される。
【０００３】
SONET ／SDH の特徴の一つは、ネットワーク運用の高度化が図れるように、伝送フレーム（ＳＴＭフレーム）にオーバヘッドと呼ばれる保守運用情報を転送する領域がふんだんにあることである。これにより、伝送装置間で監視情報や制御情報を転送し合うことによりネットワークが運用されている。
【０００４】
また、通信事業者が専用線サービスを提供するために、ユーザの宅内に設置され、ユーザ網インタフェース（UNI 、user network interface）を提供する装置としては、DSU （回線終端装置）と称される装置がある。この装置は、ユーザ側のインタフエースの種類とネットワーク側のインタフエースの種類とを同一にした装置である。つまり、ユーザ側に設置した機器（ルータなど）において、実際に使用するLAN のインタフエース等への変換が行なわれる。DSU の他の機能としては、ユーザ側の回線状態を、オーバヘッドを用いて中継装置側に通知し、回線サービス保守の材料とする役割や、遠隔からの折り返し機能による故障点評定機能がある。
【０００５】
また、最近では、イーサネット（Ｒ）機器などの低価格化、高速化、高機能化により、SONET ／SDH 以外のインタフエースをネットワークネットワークインタフエース（ＮＮＩ）として保有する伝送装置を採用し、他の通信事業者との差別化を図っている通信事業者も存在する。
【０００６】
一方、ユーザ機器のインタフェースは、LAN （Local Area Network）で使われるイーサネット（Ｒ）や、テープ装置、ディスク装置で使われるファイバチャネル（fiber channel ）などがある。これらのユーザが利用するインタフェース種別は、今後も多様化すると考えられる。
【０００７】
イーサネット（Ｒ）インタフェースを提供する回線終端装置も一部存在するが、UNI の伝送路障害を、他の同様の装置や、通信事業者の他の装置に通知する機能を有する装置は依然として開発されていない。
【０００８】
イーサネット（Ｒ）やファイバチャネルで受信したユーザデータ（パケット）を、SONET ／SDH のインタフェースを介して伝送するには、受信したパケットをHDLCと呼ばれるフレーム形式に包み込んで、SONET ／SDH のデータ領域に挿入する方式や、ＡＴＭセルに分割してSONET ／SDH のデータ領域に挿入する方式が一般的に知られている。
【０００９】
このようなシステムには、複数のUNI インタフェース部や複数のNNI インタフエース部がを搭載され、ユーザデータ（パケット）をSONET ／SDH のインタフェース側に転送する際に、パケットの中に含まれる情報に応じて当該装に含まれるどのインタフエースに転送するかが決められている。また、受信したパケットをデータリンク層の情報（MAC アドレス等）に基づいて転送する機能はBridge機能と称され、ネットワーク層の情報  (IP アドレス）に基づいて転送する機能はRouter機能と称されている。
【００１０】
最近では、通信事業者が、従来のSONET ／SDH の伝送装置を利用しつつ、ユーザにとって利用しやすいインタフエースでサービスを行なうため、上述した方式をもつSONET ／SDH 通信システムが数多く開発され、ユーザシステムやメトロエリアでの通信システムとして導入されようとしている。
【００１１】
【発明が解決しようとする課題】
上述した既存のシステムをユーザ宅内に設置し、UNI を提供してサービスを行なう場合には、以下のような課題がある。
【００１２】
図１は従来のＵＮＩを用いたシステムにおいて伝送障害が生じた場合の問題を説明するための線図である。通信事業者局内に装置Ａが設置され、ユーザ局内に装置Ｂ、装置Ｃ及び装置Ｄが設置され、装置Ａと装置Ｂ〜Ｄとの間はバスにより接続する。通信事業者局内に設置された装置Ａは３つのＳＴＭインタフェース部１〜３を有し、ユーザ局内に設置された装置ＢはＳＴＭインタフェース部４及びユーザインタフェース５を有する。ユーザインタフェース５にはバスを介してルータのようなユーザ装置６を接続する。尚、装置Ｃ及びＤは装置Ｂと同一の構成とする。装置の監視、保守、制御等は通信事業者局内においてを行われる。
【００１３】
本例において、ユーザ局内の装置Ｂのユーザインタフェース５とルータ６との間の区間▲１▼においての伝送ケーブル障害が発生し、主信号が送受信できなくなったものとする。この場合、通信事業者局内に設置された装置Ａは、区間▲１▼において発生した伝送ケーブル障害の発生を検出できず、しかも他のユーザ側に設置した装置Ｃ及びＤも当該伝送障害の発生を検出することができない。このため、ユーザからの申告によりユーザ装置（ルータ装置等）の故障であるか又は装置Ｂの故障であるのかを確認するため、区間▲１▼の伝送ケーブルの障害かの切り分けを行なう必要があり、伝送障害の原因究明における問題が生じていた。
【００１４】
Et1ernetでは、IEEE802 ．3ad で規定されているリンクアグリゲーションという技術が実用化されている。この技術は、例えば2 本のイーサネット（Ｒ）リンクを1 本のイーサネット（Ｒ）リンクとして使うことで、伝送可能帯域を2 倍にしたり、そのうち1 本のリンクに障害が発生した場合も他方のリンクに瞬時に切り替えることができるという技術であり、L2SWやルークなどのさまざまなユーザ装置に実装されている。
【００１５】
図２はethernetを利用した従来のシステムにおいて伝送障害が発生した場合の問題点を説明するための線図である。ユーザ機器Ａ（ルータ等）とユーザ機器B（ルータ等）とをプロトコル変換装置Ａ及びＢを介して接続する。ユーザ機器Ａ及びＢは、それぞれ2 つのイーサネット（Ｒ）インタフエース（A −1 ，A −2）及び（B −1 ，B −2 ）を束ねて一つのインタフエースとして利用しており（リンクアグリゲーション）、プライマリ経路である区間▲１▼、区間▲２▼、区間▲３▼を経由してMAC フレームの送受信を行なっているものとする。この場合、区間▲１▼に伝送ケーブル障害が発生し、主信号が送受信できなくなった場合、装置A は区間▲１▼の回線障害を検出できるので、ユーザ機器Ａにおいてイーサネット（Ｒ）インタフエースはA −1 からA −2 に切り替わる。しかし、区間▲３▼は正常であるので、ユーザ機器B においてはイーサネット（Ｒ）インタフエースがB −1 からB −2に切り替わらないため、ユーザ機器A とユーザB との間においてMAC フレームの送受信が行なわれなくなってしまう。従って、UNI はイーサネット（Ｒ）であるのに、ユーザ機器（イーサネット（Ｒ）機器) の機能であるリンクアグリゲーションを使うことができないという課題がある。
【００１６】
従って、本発明によるプロトコル変換装置の目的は、SONET ／SDH の伝送装置を利用した通信システムにおいて、伝送障害が発生した場合に適正に対応することができる通信システムを実現することにある。
【００１７】
さらに、本発明の目的は、SONET ／SDH の伝送装置を利用した通信システムに用いられるプロトコル変換装置であって、回線障害が発生した場合に障害内容に応じて適切に対応することができるプロトコル変換装置を実現することにある。
【００１８】
【課題を解決するための手段】
本発明によるプロトコル変換装置は、ユーザ装置との間において主信号データを伝送する伝送手段を有するユーザ網インタフェースを１つ又は複数個含む第１のインタフェース部と、ユーザ網インタフェースとは反対側に設けられ、主信号データの伝送手段を有する１つ又は複数個のネットワークネットワークインタフェースを含む第２のインタフェース部と、これらインタフェース部間において主信号データの転送を行うデータ転送部とを具えるプロトコル変換装置において、回線障害の発生を検出する回線障害検出部と、検出した回線障害の発生を外部装置に伝送する障害情報通知部と、外部装置から送信された回線障害情報を受信する障害情報受信部と、前記回線障害検出部により検出された回線障害情報又は外部装置から送信されてきた回線障害情報に応じて予め指定された制御処理を実行する制御部と、回線障害の種別と対応する制御処理内容との関係を記憶した記憶部とを具えることを特徴とする。このプロトコル変換装置においては、課題▲１▼を解決するため、装置Ｂの回線障害検出部において区間▲１▼の監視を行い、区間▲１▼の障害発生をユーザＩＦ部が検出した場合は、障害情報通知部によって、障害発生を装置Ａへ通知する。装置Ａでは、障害情報受信部によって通知された障害情報を受信し、制御部に通知することにより、制御部はLED や監視制御システムにそれを通知する。このため、装置Ａは、区間▲１▼の伝送路の障害発生を検出できるため、ユーザの申告がなくても、ユーザ装置（ルーク装置等）の故障か、装置Ｂの故障か、区間▲１▼の伝送ケーブルの障害かを切り分けることができる。
【００１９】
課題▲２▼を解決するため、本発明による別のプロトコル変換装置は、ユーザ装置との間において主信号データ（パケット）の送受信を行うユーザ網インタフェースを１つ又は複数個含む第１のインタフェース部と、前記第１のインタフェースで受信したパケットを、その宛先情報により規定された転送先ポートに転送するデータ転送部と、データ転送部から送られてくるパケットを外部装置に伝送するためのネットワークネットワークインタフェースを１つ又は複数個含む第２のインタフェース部とを具えるプロトコル変換装置において、前記第１のインタフェース部で伝送される主信号の障害発生を検出する回線障害検出部と、前記検出された回線障害情報を外部装置に通知する障害情報通知部と、外部装置から送信された回線障害情報を受信する障害情報受信部と、前記外部装置から送信されてきた回線障害情報に応じて予め指定された制御処理を実行する制御部と、回線障害の種別と対応する制御処理内容との関係を記憶した記憶部とを具えることを特徴とする。
【００２０】
上記プロトコル変換装置の好適実施例は、ユーザ網インタフェースとして、イーサネット（Ｒ）インタフェース又はファイバチャネルインタフェースを用いることを特徴とする。上記課題▲２▼を解決するため、装置Ａの回線障害検出部において区間▲１▼の監視を行い、区間▲１▼の障害発生をユーザIF部が検出した場合は、障害情報通知部によって障害発生を装置B へ通知する。装置Ｂでは、障害情報受信部によって通知された情報受信し、制御部に通知することにより、制御部は強制的に区間▲３▼の障害を発生させる（たとえば、装置Ｂのイーサネット（Ｒ）側のＩＦをshutdownする）。これにより、区間▲１▼の伝送路障害をきっかけに、区間▲２▼の伝送路をほぼ同時に切断することができるため、ユーザ機器ＡがＡ−1 からＡ−2への切替を行ない、区間▲１▼が区間▲３▼に切り替わるとほぼ同時に、ユーザ機器ＢでもＢ−1 からＢ−2 への切替が行なわれ、区間▲２▼が区間▲４▼に切り替わるため、ユーザ機器Ａとユーザ機器Ｂにおいてわずかな切断時間の後に主信号データ（hlACフレーム）の送受信が行なわれる。同時に、装置Ｂでは、強制的に区間▲３▼で障害を発生させるだけでなく、区間▲１▼の伝送路障害をトリガとした故意的な障害発生であることを、ＬＥＤ表示等で保守者に通知することで、伝送区間の保守切り分けに混乱を与えないことができる。
【００２１】
【発明の実施の形態】
図３は本発明によるプロトコル変換装置を用いた通信システムの一例の構成を示す線図である。例えばルータや端末のような３個のユーザ機器１０ａ〜１０ｃと３個の通信事業者装置１１ａ〜１１ｃとを本発明によるプロトコル変換装置２０を介して接続してデータ伝送を行う。プロトコル変換装置２０は、第１の側に設けた３個のユーザ網インタフェース部（ＵＮＩ  ＩＦ部）２１ａ〜２１ｃと第１の側とは反対の第２の側に設けた３個のネットワークネットワークインタフェース部（ＮＮＩ  ＩＦ部）２２ａ〜２２ｃと具え、これらのインタフェース間でデータの転送を行う。ユーザ機器１０ａ〜１０ｃはプロトコル変換装置２０のＵＮＩ  ＩＦ部２１ａ〜２１ｃにそれぞれ接続し、通信事業者装置１１ａ〜１１ｃはプロトコル変換装置のＮＮＩ  ＩＦ部２２ａ〜２２ｃにそれぞれ接続する。ユーザ機器とプロトコル変換装置のＵＮＩ  ＩＦとの間で伝送障害が生じた場合、障害の発生はプロトコル変換装置を介して通信事業者装置側の保守者に伝送され、通信事業者側において適切な処理を実行することができる。また、システム全体の他の位置において伝送障害が発生した場合、当該障害の発生に対応して同様な障害を意図的に発生させてプロトコル変換装置を介して通信事業者に伝えることもでき、或いは本発明によるプロトコル変換装置２０を介して障害発生を表示することも可能である。
【００２２】
図４は本発明によるプロトコル変換装置を用いて２点間の通信サービスを提供する実施例を示す。一方の側に設置した３個のユーザ装置１０ａ〜１０ｃと他方の側に設置した３個のユーザ装置１０ｄ〜１０ｆとの間でデータ伝送を行う。第１の側のユーザ装置に第１のプロトコル変換装置２０を接続し、第２の側のユーザ装置に第２のプロトコル変換装置３０を接続し、これら第１のプロトコル変換装置と第２のプロトコル変換装置３０との間のに通信事業者の保有する中継伝送装置４０を接続する。第１及び第２のプロトコル変換装置は共に、ユーザ装置に接続される第１の側にＵＮＩ  ＩＦ部を有し、中継装置４０と接続される第２の側にＮＮＩ  ＩＮ部を具える。そして、一方の側のユーザ装置１０ａ〜１０ｃと他方の側のユーザ装置１０ｄ〜１０ｆとの間でデータ伝送を行う。
【００２３】
図５は本発明によるプロトコル変換装置を用いて多地点通信サービスの提供を行う通信システムを示す。一方の側に第１のグループのユーザ装置１０ａ〜１０ｃを設け、他方の側に第２のグループのユーザ装置１０ｄ〜１０ｆを設けて、中間に第３のグループのユーザ装置１０ｇ〜１０ｉを設ける。第１のグループのユーザ装置は第１のプロトコル変換装置２０に接続し、第２のグループのユーザ装置は第２のプロトコル変換装置３０に接続し、第３のグループのユーザ装置は第１のプロトコル変換装置と第２のプロトコル変換装置との間に配置した第３のプロトコル変換装置に接続する。これら３個のプロトコル変換装置はユーザ装置に接続される側にＵＮＩ  ＩＦ部を有し、他方の側にＮＮＩ  ＩＦ部を具える。尚、第３のプロトコル変換装置５０は、第３のグループのユーザ装置に接続したＵＮＩ  ＩＦ部と、事業者装置（図示せず）に接続した別のＮＮＩ  ＩＦ部を具える。このように構成することにより、多地点間での通信サービスの提供を実現することができる。尚、第３のプロトコル変換装置５０を多数個縦属接続することにより 4地点及びこれ以上の多地点間の通信サービスの提供を行うことができる。
【００２４】
図６は本発明によるプロトコル変換装置の一例の構成を示す線図である。当該プロトコル変換装置は、ルータや端末装置のようなユーザ装置に接続されるＵＮＩ  ＩＦ部６１と、伝送装置等を介してユーザ装置に接続されるＮＮＩ  ＩＦ部６２と、これらインタフェース部間に接続したデータ転送部６３とを具える。尚、ＵＮＩ  ＩＦ部及びＮＮＩ  ＩＦ部は、ユーザ装置や事業者装置の数に応じて１個又は複数個のインタフェース部で構成することができる。本例では、ＮＮＩＩＦ部としてＳＴＭ  ＩＦ（同期転送モードインタフェース）を用いものとする。ＵＮＩ  ＩＦ部６１で受信したパケットは、当該パケットを適切な転送先ポートに転送するデータ転送部６３を経てＮＮＩ  ＩＦ部６２に転送される。各転送先ポートは、ユーザインタフェース部又はパス作成／終端部のいずれかに内部接続され、各パケットは受信パケットのデータリンク層情報やネットワーク層情報等に基づいて転送される。データ転送部６２から送られて来る複数のパケットをＳＴＭフレームによって他の外部装置に伝送するため、ＮＮＩ  ＩＦ部６２はパス作成／終端部６４、ＸＣ部６５、及び多重分離部６６を有する。
【００２５】
さらに、本発明によるプロトコル変換装置は、ＮＮＩ  ＩＦ部６１に接続され、ＮＮＩ  ＩＦ部により受信された信号から回線障害を検出する回線障害検出部６７と、この回線障害検出部に接続され、検出した回線障害の発生を外部装置に伝える障害情報通知部６８と、パス作成終端部６４に接続され外部装置から送信された来た障害情報を受信する障害情報受信部６９と、検出した障害情報又は送信されたきた障害情報に応じて適切な制御動作を行う制御部７０と、制御部７０に接続した記憶部７１とを具える。記憶部７１は、検出された障害情報又は外部装置から送信されてきた障害情報と制御部７０により実行される処理内容との関係を予め記憶する。さらに、記憶部７１には動作内容入力部７２を接続し、外部装置から入力された回線障害に対する制御内容を動作内容入力部７２を介して記憶部７１に記憶する。
【００２６】
回線障害検出部６７により回線障害を検出した場合、その回線障害の内容は障害情報通知部６８の障害通知バイト部６８ａ及び障害通知ＰＫＴ作成部６８ｂにそれぞれ送信され、作成された障害通知バイトはパス作成部６４に供給し、障害通知ＰＫＴはデータ転送部６３に供給する。また、回線障害検出部６７により検出された障害情報は制御部７０にも供給され、記憶部７１に記憶されている障害情報と対応する処理との関係に基づいて適切な処理を実行することもできる。さらに、障害情報受信部６９は障害通知バイト受信部６９ａ及び障害通知ＰＫＴ受信部６９ｂを有し、外部装置から送信されてきた障害通知バイトはパス作成部６４から障害通知バイト受信部６９ａを介して制御部７０に供給され、外部装置から送信されてきた障害通知ＰＫＴは障害通知ＰＫＴ受信部６９ｂを介して制御部７０に供給する。そして、制御部７０は外部装置から送信されてきた回線障害情報に基づいて当該プロトコル変換装置において適切な対応処理を実行することもできる。
【００２７】
次に、回線障害検出部により検出される主信号障害と、その障害情報を示す障害情報メッセージ（ビット列）との関係を一例として表１に示す。
【００２８】
【表１】
0003711042.tif 000002
【００２９】
さらに、障害情報受信部で受信される障害情報メッセージ（ビット列）とそれに対応する制御部による制御動作との関係を一例として表２に示す。尚、表２の主信号障害と対応する制御部による制御動作の関係は、記憶部７１に予め記憶することができる。
【００３０】
【表２】
0003711042.tif 000003
【００３１】
図７は本発明による障害情報通知機構を利用したＵＮＩ区間の障害監視の第１の実施例を線図的に示す。通信事業者局内に本発明によるプロトコル変換装置（装置Ａ）を設置し、３つのユーザ局内に本発明によるプロトコル変換装置（装置Ｂ、装置Ｃ及び装置Ｄ）を設置し、通信事業者局内においてネットワークの監視、保守、各装置への制御等を行なう。通信事業者の管理者は、「装置Ｂが検出する障害内容の種類」及び「通知の方法」として、「伝送路区間▲１▼の主信号の切断」及び「ＳＴＭフレームのＰＯＨ障害通知バイトを挿入することによって装置Ａに通知」を、あらかじめ装置Ｂに設けた動作内容入力部（図６において符号７２で示す）で設定し、記憶部に保持させておく。また、管理者は、装置Ａが、「対向装置での主信号断の通知を受信した場合の手続き」として、「ＬＥＤの点灯及び監視制御システムの画面上に表示」を、あらかじめ装置A の動作内容入力部７２で設定し、記憶部７１に保持させておく。
【００３２】
ここで、区間▲１▼の伝送路障害が発生し、主信号が送受信できなくなった場合、ユーザ局内に設置されている装置Ｂは記憶部で保持している「装置Ｂが検出する障害内容の種類」及び「通知の手続き」のパラメータを参照することにより、「伝送路区間▲１▼の主信号の切断」及び「ＳＴＭフレームのＰＯＨに障害通知バイトを挿入することによって装置A に通知」という条件を見出す。すなわち、装置Ｂの回線障害検出部において伝送路区間▲１▼の障害発生を検出し、障害情報通知部に検出内容を通知する。障害情報通知部は、記憶部にアクセスして対応する処理の条件を参照し、規定されている処理内容に基づいて区間▲１▼のＳＴＭフレームのＰＯＨに障害通知バイトを挿入することによって、装置Ａへ通知する。装置Ａでは、障害情報受信部が通知された情報受信し、記憶部にアクセスする。  そして、記憶部の保持している「対向装置での主信号断の通知を受信した場合の手続き」のパラメータを参照し、ＬＥＤの点灯及び監視制御システムの画面上に表示」という動作内容を見出すことにより、制御部に受信情報を通知する。制御部は、ＬＥＤの点灯及び監視制御システムの画面上にそれを表示することで、通信事業者の局舎内システムを監視制御の対象とするだけで、区間▲１▼の監視制御を行なうことができる。
【００３３】
図８はＵＮＩ区間で発生した回線障害を当該通知システムに設置された別のプロトコル変換装置に通知する障害監視の例を示す。管理者は、装置Ｂが検出する障害内容の種類及び通知の手続きとして、「伝送路区間▲１▼の主信号の切断」及び「障害内容をIPパケットとして装置Ａ、装置Ｃ、装置Ｄに通知」を、あらかじめ装置Ｂの動作内容入力部で設定し、記憶部に保持させることで、回線障害検出部での障害発生の検出により、装置Ａ、装置Ｃ、装置Ｄ宛に障害通知ＰＫＴを発行することにより、他のユーザ局内の保守者にも、装置ＢのＵＮＩ区間での障害発生を知らせることができる。この結果、回線障害の通知を受けた他のプロトコル変換装置は、障害内容に応じて適切な対応処理を実行することができる。
【００３４】
図９はリングアグリゲーションを利用したユーザ装置間のデータ伝送システムにおける処理情報通知機構の実施例を示す。一方のユーザ機器Ａ（ルータ等）が２つのイーサネット（Ｒ）インタフエース（Ａ−1 ，Ａ−２）を束ねて一つのインタフエースを構成し、他方の、ユーザ機器B （ルータ等）が２つのイーサネット（Ｒ）インタフエース（Ｂ−1 ，Ｂ−2 ）を束ねて一つのインタフエースを構成する（前述したリンクアグリゲーション）。これらのインタフェース間に本発明のプロトコル変換装置Ａ〜Ｄを配置し、１次側のプライマリＩＦにおいて、ユーザ機器Ａに接続したプロトコル変換装置Ａとユーザ機器Ｂに接続したプロトコル変換装置Ｂとの間はＳＴＭフレームによりデータ伝送を行う。また、セコンダリＩＦにおいて、ユーザ機器Ａに接続したプロトコル変換装置Ｃとユーザ機器Ｂに接続したプロトコル変換装置Ｄとの間もＳＴＭフレームでデータ伝送を行う。ユーザ機器ＡとＢとの間において、プライマリ経路である区間▲１▼、区間▲２▼、区間▲３▼を経由してＭＡＣフレームの送受信を行なう。当該通知システムの保守を行う管理者は、「プロトコル変換装置Ａが検出する障害内容の種類」及び「通知の方法」として、「区間▲１▼の主信号の切断」及び「ＳＴＭフレームのＰＯＨに障害通知バイトを挿入することによって装置Ｂに通知」を、あらかじめプロトコル変換装置Ａの動作内容人力部で設定し、記憶部に保持させておく。また、管理者は、「装置Ｂが、対向装置での主信号断の通知を受信した場合の手続き」として、「自装置のイーサネット（Ｒ） IF を強制にShutdownし、ＬＥＤ点灯により伝送路障害をトリガとした故意的な障害発生であることを知らせる」を、あらかじめ装置Ｂの動作内容入力部で設定し、記憶部に保持させておく。
【００３５】
区間▲１▼の伝送ケーブル障害が発生したため、主信号（ＭＡＣフレーム）が送受信できなくなった場合、プロトコル変換装置Ａは区間▲１▼の回線障害を検出できるので、イーサネット（Ｒ）インタフエースをＡ−1 からＡ−2 に切り替え、プロトコル変換装置Ａの障害情報通知部は記憶部で保持している「プロトコル変換装置Ａが検出する障害内容の種類」及び「通知の手続き」のパラメータを参照し、「区間▲１▼の主信号の切断」及び「ＳＴＭフレームのＰＯＨに障害通知バイトを挿入することによって装置B に通知」という条件を見出すため、区間▲２▼のＳＴＭＩＦのＰＯＨに障害通知情報を挿入することによって、他方の側のプロトコル変換装置Ｂへ通知する。プロトコル変換装置Ｂでは、障害情報受信部が通知された情報受信し、記憶部の保持している「対向装置での主信号断の通知を受信した場合の手続き」のパラメータを参照し、「自装置のイーサネット（Ｒ）IFを強制的にShutdownし、LED 点灯により伝送路障害をトリガとした故意的な障害発生であることを知らせる」という動作内容を見いだすことにより、制御部に通知する。制御部は強制的に区間▲３▼の障害を発生させ（装置Ｂのイーサネット（Ｒ）側のIFをshutdownする）、イーサネット（Ｒ）はプライマリＩＦからセコンダリＩＦに切り換えられる。これにより、区間▲１▼の伝送路障害をきっかけに、区間▲２▼の伝送路をはぼ同時に切断することができるため、ユーザ装置Ａとユーザ装置Ｂとの間においてわずかな切断時間の後にＭＡＣフレームの送受信が行なわれる。同時に、プロトコル変換装置Ｂでは、強制的に区間▲３▼で障害を発生させるだけでなく、区間▲１▼の伝送路障害をトリガとした故意的な障害発生であることを、ＬＥＤ表示で保守者に通知することで、伝送区間の保守切り分けに混乱を与えないようにすることができる。
【００３６】
また、装置Ａと装置Ｂの間のパスに同様の装置が挿入され、パスが終端される場合においては、障害情報通知ＰＫＴを発行することにより、同様の機能を実現することができる。
【００３７】
図１０はリングアグリゲーションを利用した図９に示す実施例の変形例を示し、中継網に伝送装置を用いてユーザ装置ＡとＢとの間の回線を中継するサービスを提供する例を示す。一方のユーザ装置ＡにＵＮＩを介してユーザ機器Ａを接続し、他方のユーザ装置ＢにもＵＮＩを介してユーザ機器Ｂを接続する。プライマリＩＦは図９のプライマリＩＦと同一の構成とし、セコンダリＩＦは波長多重変換装置を用いた伝送システムとする。通信事業者は、ユーザ機器Ａ及びユーザ機器Ｂ（レイヤ２スイッチ等）の一方の側のインタフエースをＵＮＩ  ＩＦとして、ユーザ装置Ａとユーザ装置Ｂとの間でイーサネット（Ｒ）インタフエースの回線サービスを提供する。ユーザ装置Ａとユーザ装置Ｂは、それぞれ本発明装置の区間▲１▼、▲２▼、▲３▼を中継回線として回線サービスを提供しており、将来的に中継区間の伝送設備を本発明によるプロトコル変換装置Ａ、Ｂから新規に波長多重伝送装置へ切替え、本装置を撤去する場合、区間▲１▼、▲２▼、▲３▼を、使用している現在の回線に影響を与えることなく波長多重装置を用いる中継回線を切り替える必要がある。この場合、図９に示す実施例で説明した障害情報通知機構を利用し、リンクアグリゲーションを動作させることで、中継伝送設備の切替を、ユーザに提供中の回線サービスを中断せずに行なうことができる。
【００３８】
【発明の効果】
以上の説明のように、本発明によれば、ユーザ装置（ルータ、端末等）と接続され、主信号データの伝送手段を有するＵＮＩインタフェース部を複数搭載し、対向する他の同様の装置や、他の中継伝送装置と接続され、主信号データの伝送手段を有するＮＮＩインタフェース部を複数搭載し、あるＵＮＩインタフェース部とあるＮＮＩインタフェース部の間で主信号データの転送を行なう機能を含む装置において、通信事業者がサービスを提供するためのＵＮＩを提供する機能を有する通信システムにおいて、
装置間でＵＮＩインターフェースの回線障害の情報をＮＮＩインターフェースで通知することにより、遠隔装置からのＵＮＩ区間の故障特定や、リンクアグリゲーション機能の利用を行うことができる。
【図面の簡単な説明】
【図１】従来の通信システムにおける伝送路障害による問題点を説明するための線図である。
【図２】リングアグリケーションを利用した従来の通信システムにおける伝送路障害による課題を説明するための線図である。
【図３】本発明によるプロトコル変換装置を具える通信システムの一例の構成を示す線図である。
【図４】本発明によるプロトコル変換装置を具える別の通信システムの一例の構成を示す線図である。
【図５】本発明によるプロトコル変換装置を具える別の通信システムの一例の構成を示す線図である。
【図６】本発明によるプロトコル変換装置の一例の構成を示す線図である。
【図７】本発明によるプロトコル変換装置を用いてＵＮＩ区間の障害監視を行う第１の形態の実施例を示す線図である。
【図８】本発明によるプロトコル変換装置を用いてＵＮＩ区間の障害監視を行う第１の形態の別の実施例を示す線図である。
【図９】本発明によるプロトコル変換装置を用いてＵＮＩ区間の障害監視を行う第２の形態の実施例を示す線図である。
【図１０】本発明によるプロトコル変換装置を用いてＵＮＩ区間の障害監視を行う第２の形態の別の実施例を示す線図である。
【符号の説明】
１０ａ〜１０ｉ  ユーザ装置
１１ａ〜１１ｃ  通信事業者装置
２０，４０，５０  プロトコル変換装置
３０  中継装置
６１  ＵＮＩ  ＩＦ部
６２  ＮＮＩ  ＩＦ部
６３  データ転送部
６４  パス終端作成部
６５  ＸＣ部
６６  多重分離部
６７  回線障害検出部
６８  障害情報通信部
６９  障害情報受信部
７０  制御部
７１  記憶部
７２  動作内容入力部
【図１】
0003711042.tif 000004
【図２】
0003711042.tif 000005
【図３】
0003711042.tif 000006
【図４】
0003711042.tif 000007
【図５】
0003711042.tif 000008
【図６】
0003711042.tif 000009
【図７】
0003711042.tif 000010
【図８】
0003711042.tif 000011
【図９】
0003711042.tif 000012
【図１０】
0003711042.tif 000013